(57)【要約】【課題】渦電流により生じる回転電機用の永久磁石の熱を適切に放熱させる。【解決手段】回転電機用の永久磁石１は、一対の磁極面１０と、一対の磁極面１０に交差する非磁極面１３と、磁石本体を貫通して冷媒の流路となる貫通孔２と、を備え、貫通孔２の両端の開口部３が非磁極面１３に形成されている。【選択図】図３
2019058048.tif 000002
【特許請求の範囲】
【請求項１】
回転電機用の永久磁石であって、
一対の磁極面と、
前記一対の磁極面に交差する非磁極面と、
前記磁石本体を貫通して冷媒の流路となる貫通孔と、を備え、
前記貫通孔の両端の開口部が前記非磁極面に形成されている永久磁石。
【請求項２】
前記貫通孔は、前記回転電機に設置された状態において前記回転電機の軸方向に沿うように形成されている請求項１に記載の永久磁石。
【請求項３】
前記磁極面に直交する方向に沿う磁極面直交方向視で、前記磁極面の重心から前記貫通孔の重心までの距離の方が、前記貫通孔の重心から前記非磁極面までの最短距離よりも長い請求項１又は２に記載の永久磁石。
【請求項４】
前記非磁極面は、互いに反対側を向く一対の非磁極面部を備え、
前記一対の磁極面の間隔は、前記一対の非磁極面部の間隔よりも短く、前記貫通孔が、前記一対の磁極面部のそれぞれに沿って一対形成されている請求項１から３の何れか一項に記載の永久磁石。
【請求項５】
前記磁極面は、長方形状であり、前記貫通孔は、長辺に沿って延びるように形成されている請求項１から４の何れか一項に記載の永久磁石。
【請求項６】
請求項１から５の何れか一項に記載の永久磁石がロータ又はステータに配置され、
前記開口部に冷媒を供給する冷媒供給路を備える回転電機。
【発明の詳細な説明】
【技術分野】
【０００１】
本発明は、回転電機及び回転電機用の永久磁石に関する。
【背景技術】
【０００２】
永久磁石を用いた回転電機の損失として、渦電流損が知られている。渦電流は、エアギャップにおける高調波磁束の影響によって磁石の表面に流れる。近年、利用が拡大している希土類磁石は、フェライト磁石に比べて導電率が高いために、渦電流も流れ易い。渦電流が流れることによって磁石が発熱すると、磁石の減磁を招く可能性がある。このため、磁石の温度上昇を抑制することが求められる。例えば、特開２００４−２６０９５１号公報には、永久磁石の表面に、軸方向に延びる複数本の溝を設けて永久磁石の表面を区切り、永久磁石の表面を流れる渦電流の大きな電流ループを遮断して渦電流を減少させることによって永久磁石の温度上昇を抑制することが開示されている。
【０００３】
渦電流を減少させることによって、発熱量を減少させることはできる。但し、渦電流を完全になくすことはできないので、渦電流による発熱は生じる。特に、永久磁石の端部では、発熱密度が高いので温度が上昇し易く、また、反磁界による減磁を生じ易い。このため、発熱の抑制に留まらず、永久磁石からの放熱も行うことが望ましい。
【先行技術文献】
【特許文献】
【０００４】
【特許文献１】特開２００４−２６０９５１号公報
【発明の概要】
【発明が解決しようとする課題】
【０００５】
上記背景に鑑みて、渦電流により生じる回転電機用の永久磁石の熱を適切に放熱させることが望まれる。
【課題を解決するための手段】
【０００６】
上記に鑑みた回転電機用の永久磁石は、一対の磁極面と、前記一対の磁極面に交差する非磁極面と、前記磁石本体を貫通して冷媒の流路となる貫通孔と、を備え、前記貫通孔の両端の開口部が前記非磁極面に形成されている。
【０００７】
この構成によれば、磁石本体を貫通して冷媒が流通する貫通孔を備えることにより、永久磁石から熱を奪い、放熱させることができる。貫通孔の開口部は非磁極面に形成されるため、磁極面の表面積を減少させることはなく、磁極面への加工が施されるような場合に比べて磁力の低下は抑制される。即ち、本構成によれば、渦電流により生じる回転電機用の永久磁石の熱を適切に放熱させることができる。
【０００８】
回転電機用の永久磁石のさらなる特徴と利点は、図面を参照して説明する実施形態についての以下の記載から明確となる。
【図面の簡単な説明】
【０００９】
【図１】永久磁石型回転電機の一例を示す軸直交部分断面図
【図２】永久磁石型回転電機の一例を示す軸直交部分断面図
【図３】貫通孔が形成された永久磁石の一例を模式的に示す斜視図
【図４】回転電機の模式的軸方向断面図
【図５】永久磁石型回転電機の一例を示す軸直交部分断面図
【図６】貫通孔が形成された永久磁石の一例を模式的に示す斜視図
【図７】貫通孔が形成された永久磁石の一例を模式的に示す斜視図
【図８】貫通孔を有する永久磁石の作成例を示す説明図
【図９】貫通孔を有する永久磁石の作成例を示す説明図
【図１０】開口部の位置及び形状の一例を示す図
【図１１】開口部の位置及び形状の一例を示す図
【図１２】開口部の位置及び形状の一例を示す図
【図１３】開口部の位置及び形状の一例を示す図
【図１４】貫通孔が形成された永久磁石の一例を模式的に示す斜視図
【図１５】渦電流と発熱量との関係を示す図
【発明を実施するための形態】
【００１０】
以下、ロータに永久磁石が埋め込まれた埋込磁石型回転電機を例として、回転電機用の永久磁石の実施形態を図面に基づいて説明する。図１及び図２は、永久磁石型の回転電機８の一例を示す軸直交部分断面図である。ここでは、ロータ８１に用いられる永久磁石１を例として説明するが、永久磁石１はステータ８３に用いられるものであってもよい。以下、回転軸に沿った方向を軸方向Ｌ、回転方向に沿った方向を周方向Ｃ、回転軸を中心とした径に沿った方向を径方向Ｒと称して説明する。
【００１１】
ここでは、ステータ８３の径方向内側に間隙８８（エアギャップ）を介してロータ８１が配置されたインナーロータ型の回転電機８を例示する。永久磁石１は、例えば図１に示すように、一方の磁極面１０が周方向Ｃに沿うように、周方向Ｃに並べて配置される。また、永久磁石１は、例えば図２に示すように、２つの永久磁石１が間隙８８の側に開いたＶ字型となるように配置される形態であってもよい。この場合、当該２つの永久磁石１によって１つの磁極が形成される。
【００１２】
詳細については、図３以下を参照して後述するが、永久磁石１は、一対の磁極面１０と、一対の磁極面１０に交差する非磁極面１３と、磁石本体を貫通して冷媒の流路となる貫通孔２とを備えている。尚、交差するとは、直角に交わる形態には限らない。例えば、非磁極面１３は、磁極面１０と平行でなければよく、例えば非磁極面１３と磁極面１０とのなす角度が３０度程度であってもよい。図３に示すように、貫通孔２の両端の開口部３は、非磁極面１３に形成されている。貫通孔２は、冷媒を流通させることによって、渦電流によって発熱する永久磁石１を冷却するために形成されている。渦電流は、間隙８８付近において多く発生する高調波磁束の影響によって磁石の表面に多く流れる。渦電流が多く流れることによって磁石が発熱すると、磁石の減磁を招く可能性がある。冷媒が流通する貫通孔２を設けることによって、永久磁石１を冷却して減磁を生じる可能性を低減することができる。
【００１３】
回転電機８の模式的な軸方向断面図である図４に示すように、回転電機８は、開口部３に冷媒を供給する冷媒供給路７を備えている。回転電機８のロータ８１に連結された回転軸８０には、軸方向Ｌに沿って冷媒（例えばオイル）が流通する主流路７０が形成されている。ロータコア８２の軸方向Ｌの端部には、エンドプレート８５が備えられている。回転軸８０には、主流路７０に接続されて、エンドプレート８５の方向へ径方向Ｒに沿って冷媒が流通する回転軸内径方向流路７１が形成されている。ロータコア８２とエンドプレート８５との間、又はエンドプレート８５の内部には、回転軸内径方向流路７１に接続され、径方向Ｒに沿って冷媒が流通するロータ側径方向流路７５が形成されている。ロータ側径方向流路７５は、貫通孔２の一方の開口部３に接続されている。貫通孔２の他方の開口部３には、エンドプレート８５を軸方向Ｌに沿って貫通する排出流路７６が接続されている。
【００１４】
冷媒は、主流路７０から、回転軸内径方向流路７１及びロータ側径方向流路７５を経て一方の開口部３に達し、貫通孔２を通って他方の開口部３に流通し、排出流路７６から排出される。排出流路７６から排出された冷媒は、ロータ８１の回転による遠心力でステータ８３の方向へ飛散して、ステータコア８４やステータコア８４に巻き回されたコイルのコイルエンド部８６を冷却する。尚、図４では、排出流路７６が軸方向Ｌに沿って形成されている形態を例示したが、径方向Ｒに沿って形成されていてもよい。主流路７０、回転軸内径方向流路７１及びロータ側径方向流路７５は、開口部３に冷媒を供給する冷媒供給路７に相当する。
【００１５】
このように、貫通孔２が、回転電機８に設置された状態において回転電機８の軸方向Ｌに沿うように形成されていると、貫通孔２に対して簡潔な構造で冷媒を供給することができる。また、貫通孔２を通過した冷媒を、回転電機８のステータ８３に容易に導くことができ、ステータ８３も適切に冷却することができる。
【００１６】
ところで、図１から図３には、１つの永久磁石１に２つの貫通孔２が形成されている形態を例示した。しかし、発熱量や永久磁石１の配置に応じて、１つの永久磁石１に対して１つの貫通孔２が形成されることを妨げるものではない。例えば、図５に例示するように、１つの永久磁石１に貫通孔２が１つ形成される形態であってもよい。
【００１７】
貫通孔２は、磁極面１０に直交する方向視で、磁極面１０の端部の側を通るように形成されていると好適である。貫通孔２が２つの場合には、それぞれが異なる端部の側を通るように形成されていると好適である。渦電流と発熱量との関係を模式的に表す図１５に示すように、永久磁石１の形状が、磁極面１０が広い平板状（平たい直方体状）である場合、長方形状の磁極面１０の長辺ＬＳの側（第１発熱領域Ｈ１）の方が短辺ＳＳの側（第２発熱領域Ｈ２）よりも発熱量が多くなり易い。つまり、長辺ＬＳに平行な方向に沿って渦電流が流れる場合には、短辺ＳＳに平行な方向に沿って渦電流が流れる場合に比べて導体断面積が狭くなるため、長辺ＬＳに沿った方向に電流が流れる場合には、単位面積当たりの電流が増えて発熱量も大きくなり易い。従って、より発熱量の多くなり易い長辺ＬＳに沿って貫通孔２が形成されることによって、効果的に永久磁石１を冷却することができる。例えば、図１から図３に例示するように、それぞれの長辺ＬＳの側に、それぞれの長辺ＬＳに沿って貫通孔２を形成することによって、２箇所の第１発熱領域Ｈ１を効果的に冷却することができる。
【００１８】
また、図１５にも示したように、磁極面１０の重心に近い中央部に比べて、重心から離れた磁極面１０の端部の方が発熱し易い。従って、貫通孔２は、磁極面１０に直交する方向に沿う磁極面直交方向視で、磁極面１０の重心から貫通孔２の重心までの距離ｄ１の方が、貫通孔２の重心から非磁極面１３までの最短距離ｄ２よりも長くなる位置に形成されることが好ましい（図３参照）。このように、貫通孔２が配置されていると、貫通孔２は磁極面１０の端部の側に位置するので、発熱量の大きい磁極面１０の端部の側を効果的に冷却することができる。
【００１９】
図３に示すように、永久磁石１が直方体状である場合、非磁極面１３は４面存在する。つまり、非磁極面１３は、互いに反対側を向く二対の非磁極面部（１４，１５）を有する。ここでは、貫通孔２の開口部３が形成される一方の非磁極面部の対を第１非磁極面部１４と称し、他方の非磁極面部の対を第２非磁極面部１５と称する。図３に示す例では、永久磁石１は平たい直方体状であり、一対の磁極面１０の間隔（磁極面間隔Ｔ１）は、第１非磁極面部１４の間隔（第１非磁極面部間隔Ｔ３）及び第２非磁極面部１５の間隔（第２非磁極面部間隔Ｔ２）よりも短い。貫通孔２は、一対の第２非磁極面部１５のそれぞれに沿って一対の貫通孔対２ｐとして形成されている。貫通孔対２ｐにより、発熱量の多い第２非磁極面部１５に近い磁極面１０の２箇所の端部を効果的に冷却することができる。
【００２０】
永久磁石１がこのような平たい直方体ではなくても、磁極面１０の面積が広く、概ね平たい形状（平板状、曲面板状など）の場合には同様のことが言える。図６は、曲面板状、具体的には第１非磁極面部１４に平行な方向の断面形状が円弧型の永久磁石１を例示している。また、図７は一方の磁極面１０が凸形状で他方の磁極面１０が平面状、具体的には第１非磁極面部１４に平行な方向の断面形状がＤ字型となる平板状の永久磁石１を例示している。
【００２１】
図６に示す曲面板状の永久磁石１でも、一対の磁極面１０の間隔（磁極面間隔Ｔ１）は、第１非磁極面部１４の間隔（第１非磁極面部間隔Ｔ３）及び第２非磁極面部１５の間隔（第２非磁極面部間隔Ｔ２）よりも短い。尚、図６では、第２非磁極面部間隔Ｔ２を曲面（磁極面１０）に沿った曲線距離で例示しているが、最短距離（直線距離）であってもよい。貫通孔２は、一対の第２非磁極面部１５のそれぞれに沿って形成されている。また、図７に示す永久磁石１でも、一対の磁極面１０の間隔（磁極面間隔Ｔ１（第１磁極面間隔Ｔ１１及び第２磁極面間隔Ｔ１２の双方））は、第１非磁極面部１４の間隔（第１非磁極面部間隔Ｔ３）及び第２非磁極面部１５の間隔（第２非磁極面部間隔Ｔ２）よりも短い。また、貫通孔２は、一対の第２非磁極面部１５のそれぞれに沿って形成されている。
【００２２】
図６及び図７に例示する永久磁石１においても、磁極面１０に直交する方向に沿う磁極面直交方向視で、磁極面１０の重心から貫通孔２の重心までの距離ｄ１の方が、貫通孔２の重心から非磁極面１３までの最短距離ｄ２よりも長くなる位置に貫通孔２が形成されている。これにより、磁極面１０の端部を効果的に冷却することができる。
【００２３】
ところで、永久磁石１には、磁性体材料の粉末を樹脂等のバインダと混ぜ合わせて、成型固化して製造されるボンド磁石や、磁性体材料の粉末を高温で焼き固めた焼結磁石や熱間押し出し加工磁石等がある。ボンド磁石や熱間押し出し加工磁石の場合には、成形後の後加工や、押し出し成形時に貫通孔２を形成することができる。焼結磁石の場合には、後加工によって貫通孔２が形成される。
【００２４】
また、永久磁石１は複数に分割された磁石を組み合わせて構成されてもよい。図８は、貫通孔２の延伸方向に沿うと共に磁極面１０に平行な方向に永久磁石１を２つのパーツ（第１パーツ１ａ，第２パーツ１ｂ）分割する形態を例示している。それぞれのパーツには、溝部２０が形成される。第１パーツ１ａ及び第２パーツ１ｂの溝部２０同士が対向するように接合することで、第１パーツ１ａに形成される第１溝部２ａと第２パーツに形成される第２溝部２ｂとにより貫通孔２が形成された永久磁石１を形成することができる。
【００２５】
図３、図６、図７等に示したように、貫通孔２が比較的長尺となるような場合には、図９に例示するように、貫通孔２の延伸方向及び磁極面１０に直交する方向に永久磁石１を分割してもよい。ここでは、２つの分割磁石（第１磁石１ｃ，第２磁石１ｄ）に分割する形態を例示しているが、３つ以上に分割する形態であってもよい。回転電機８に設置された状態での永久磁石１における貫通孔２の全長に比べて、分割磁石（第１磁石１ｃ，第２磁石１ｄ）の貫通孔２（第１分割貫通孔２ｃ，第２分割貫通孔２ｄ）の長さは短いため、加工の難易度が低くなる。第１分割貫通孔２ｃと第２分割貫通孔２ｄとが対向するように第１磁石１ｃと第２磁石１ｄとを接合し、或いは、回転電機８に設置された状態で第１分割貫通孔２ｃと第２分割貫通孔２ｄとが対向するように第１磁石１ｃと第２磁石１ｄとを配置することで、連続した貫通孔２を有する永久磁石１を形成することができる。
【００２６】
ところで、貫通孔２を設けると磁極面間隔Ｔ１における磁石の厚みが薄くなり磁気抵抗が高くなって磁石本体から出力される磁束が減少すると共に、磁性の保持力も低下する。つまり、貫通孔２を設けない場合と比べて永久磁石１は不可逆減磁を起こし易くなる。永久磁石１が図３に例示するような直方体状の場合、角部へ近づくほど不可逆減磁が発生し易くなる。一方、永久磁石１の温度が低ければ減磁を生じにくいため、貫通孔２を通る冷媒によって磁石温度が低下すると減磁の発生は低減される。また、貫通孔２が存在することによって、渦電流の流れが妨げられるため、貫通孔２は渦電流によって生じる発熱を低減させる効果も有する。以上のことから、磁束の減少、磁性の保持力の低下、冷却効果、渦電流の低減効果等のバランスを考慮して、貫通孔２の位置及び大きさが設定されることが好ましい。
【００２７】
図１０から図１２は、磁極面１０及び非磁極面１３（第２非磁極面部１５）から貫通孔２までの寸法例（貫通孔２を囲む壁の厚さの寸法例）及び貫通孔２の開口部３の形状例を、開口部３が開口する非磁極面１３（第１非磁極面部１４）に直交する方向視で示したものである。図１０は、正方形状の開口部３が、第１非磁極面部１４における磁極面１０の側の端部及び第２非磁極面部１５の側の端部からほぼ等しい位置に形成されている形態を例示している。つまり、図１０に示す形態では、貫通孔２を囲む壁の厚さに関して“磁極面側厚さｄ３＝非磁極面側厚さｄ４”の形態を例示している。尚、開口部３の形状については、正方形状に限らず長方形状であってもよい。当然ながら、正方形状及び長方形状の角部を直線又は曲線にて面取りした多角形状或いはトラック形状、又は、円形状や楕円形状等であってもよい。
【００２８】
図１１は、第１非磁極面部１４における磁極面１０の側の端部からの厚み（磁極面側厚さｄ４）の方が、第２非磁極面部１５の側の端部からの厚み（非磁極面側厚さｄ３）よりも長くなる位置に、長方形状の開口部３が形成されている形態を例示している。つまり、図１１に示す形態では、貫通孔２を囲む壁の厚さに関して“磁極面側厚さｄ４＞非磁極面側厚さｄ３”の形態を例示している。図１１では、開口部３の形状が長方形状である形態を例示しているが、開口部３の形状は、図１０のような正方形状であってもよい。当然ながら、長方形状及び正方形状の角部を直線又は曲線にて面取りした多角形状或いはトラック形状、又は、円形状や楕円形状等であってもよい。
【００２９】
図１２は、第１非磁極面部１４における第２非磁極面部１５の側の端部からの厚み（非磁極面側厚さｄ３）の方が、磁極面１０の側の端部からの厚み（磁極面側厚さｄ４）よりも長くなる位置に、長方形状の開口部３が形成されている形態を例示している。つまり、図１２に示す形態では、貫通孔２を囲む壁の厚さに関して“非磁極面側厚さｄ３＞磁極面側厚さｄ４”の形態を例示している。図１１と同様に、ここでは開口部３の形状が長方形状である形態を例示しているが、開口部３の形状は、図１０のような正方形状であってもよい。当然ながら、長方形状及び正方形状の角部を直線又は曲線にて面取りした多角形状或いはトラック形状、又は、円形状や楕円形状等であってもよい。
【００３０】
〔その他の実施形態〕
以下、その他の実施形態について説明する。尚、以下に説明する各実施形態の構成は、それぞれ単独で適用されるものに限られず、矛盾が生じない限り、他の実施形態の構成と組み合わせて適用することも可能である。
【００３１】
（１）図５を参照して上述したように、貫通孔２は、１つの永久磁石１に対して１つであってもよい。例えば、図１３に例示すように、一対の開口部３を結ぶ方向に延びると共に当該方向に直交する方向であって磁極面１０に平行な方向にも広がった形状の貫通孔２を形成すれば、１つの貫通孔２によって磁極面１０の両端部を冷却することができる。尚、図１３では、開口部３が長方形状である形態を例示しているが、第２非磁極面部１５の側で開口面積が大きく（磁極面１０に直交する方向に開口部３の長さが長く）、中央部では開口面積が小さく（磁極面１０に直交する方向に開口部３の長さが短く）なるような形状（例えば鉄アレイ型）であってもよい。
【００３２】
（２）上記においては、永久磁石１が、非磁極面１３として２つ以上の異なる面を有する形態を例示した。つまり、第１非磁極面部１４と第２非磁極面部１５が、第１磁極面１１及び第２磁極面１２に交差して磁石本体を囲む形態を例示した。しかし、非磁極面１３は単一の面であってもよい。例えば、図１４に示すように永久磁石１が円柱状であり、底面及び天面が磁極面１０である場合、底面及び天面に交差し、磁石本体を囲む曲面である側面が非磁極面１３となる。また、非磁極面１３に貫通孔２の両端の開口部３が形成されるように貫通孔２を設けることも可能である。
【００３３】
〔実施形態の概要〕
以下、上記において説明した永久磁石（１）及び回転電機（８）の概要について簡単に説明する。
【００３４】
１つの態様として、回転電機用の永久磁石（１）は、一対の磁極面（１０）と、前記一対の磁極面（１０）に交差する非磁極面（１３）と、前記磁石本体を貫通して冷媒の流路となる貫通孔（２）と、を備え、前記貫通孔（２）の両端の開口部（３）が前記非磁極面（１３）に形成されている。
【００３５】
この構成によれば、磁石本体を貫通して冷媒が流通する貫通孔（２）を備えることにより、永久磁石（１）から熱を奪い、放熱させることができる。貫通孔（２）の開口部（３）は非磁極面（１３）に形成されるため、磁極面（１０）の表面積を減少させることはなく、磁極面（１０）への加工が施されるような場合に比べて磁力の低下は抑制される。即ち、本構成によれば、渦電流により生じる回転電機用の永久磁石（１）の熱を適切に放熱させることができる。
【００３６】
ここで、前記貫通孔（２）は、前記回転電機（８）に設置された状態において前記回転電機（８）の軸方向（Ｌ）に沿うように形成されていると好適である。
【００３７】
貫通孔（２）が軸方向（Ｌ）に沿うことで、貫通孔（２）に対して簡潔な構造で冷媒を供給することが容易となる。また、貫通孔（２）を通過した冷媒を、回転電機（８）のロータ（８１）やステータ（８３）に容易に導き、ロータ（８１）やステータ（８３）を冷却する構成も比較的容易に実現することができる。
【００３８】
また、前記磁極面（１０）に直交する方向に沿う磁極面直交方向視で、前記磁極面（１０）の重心から前記貫通孔（２）の重心までの距離（ｄ１）の方が、前記貫通孔（２）の重心から前記非磁極面（１３）までの最短距離（ｄ２）よりも長いと好適である。
【００３９】
一般的に、磁極面（１０）の重心に比べて、重心から離れた磁極面（１０）の端部の方が発熱し易い。上記のように、貫通孔（２）が配置されていると、貫通孔（２）は磁極面（１０）の端部の側に位置することになる。従って、発熱量の大きい磁極面（１０）の端部を効果的に冷却することができる。
【００４０】
また、前記非磁極面（１３）は、互いに反対側を向く一対の非磁極面部（１５）を備え、前記一対の磁極面（１０）の間隔（Ｔ１）は、前記一対の非磁極面部（１５）の間隔（Ｔ２）よりも短く、前記貫通孔（２）が、前記一対の磁極面部（１５）のそれぞれに沿って一対形成されていると好適である。
【００４１】
このように、磁極面（１０）の面積が広く、概ね平たい形状（平板状、曲面板状など）の永久磁石（１）では、磁極面（１０）の中で非磁極面（１３）に近い端部の方がより発熱し易い。互いに反対側を向く一対の非磁極面部（１５）のそれぞれに沿って、一対の貫通孔（２）が形成されると、非磁極面部（１５）に近い磁極面（１０）の２箇所の端部を効果的に冷却することができる。
【００４２】
また、前記磁極面（１０）が、長方形状である場合、前記貫通孔（２）は、長辺（ＬＳ）に沿って延びるように形成されていると好適である。
【００４３】
上述したように、一般的には、磁極面（１０）の重心に近い中央部に比べて、重心から離れた磁極面（１０）の端部の方が発熱し易い。そして、磁極面（１０）が長方形状である場合には、渦電流が流れる密度が高くなり易い長辺（ＬＳ）の側の方が、短辺（ＳＳ）の側に比べて発熱量が多くなり易い。つまり、長辺（ＬＳ）に平行な方向に沿って渦電流が流れる場合には、短辺（ＳＳ）に平行な方向に沿って渦電流が流れる場合に比べて導体断面積が狭くなるため、長辺（ＬＳ）に沿った方向に電流が流れる場合には、単位面積当たりの電流が増えて発熱量も大きくなり易い。従って、より発熱量の多くなり易い長辺（ＬＳ）に沿って貫通孔（２）が形成されることによって、効果的に永久磁石（１）を冷却することができる。
【００４４】
また、上述した永久磁石（１）がロータ（８１）又はステータ（８３）に配置され、前記開口部（３）に冷媒を供給する冷媒供給路（７）を備えて回転電機（８）が構成されると好適である。
【００４５】
回転電機（８）が開口部（３）に冷媒を供給する冷媒供給路（７）を備えることによって、適切に貫通孔（２）に冷媒を供給して、永久磁石（１）を放熱させることができる。
【符号の説明】
【００４６】
１      ：永久磁石
２      ：貫通孔
３      ：開口部
７      ：冷媒供給路
８      ：回転電機
１０    ：磁極面
１３    ：非磁極面
１５    ：第２非磁極面部（貫通孔が沿う非磁極面部）
７０    ：主流路（冷媒供給路）
７１    ：回転軸内径方向流路（冷媒供給路）
７５    ：ロータ側径方向流路（冷媒供給路）
８１    ：ロータ
８３    ：ステータ
Ｌ      ：軸方向
ＬＳ    ：長辺
Ｔ１    ：磁極面間隔（一対の磁極面の間隔）
Ｔ２    ：第２非磁極面部間隔（一対の非磁極面部の間隔）
ｄ１    ：磁極面の重心から貫通孔の重心までの距離
ｄ２    ：貫通孔の重心から非磁極面までの最短距離
【図１】
2019058048.tif 000003
【図２】
2019058048.tif 000004
【図３】
2019058048.tif 000005
【図４】
2019058048.tif 000006
【図５】
2019058048.tif 000007
【図６】
2019058048.tif 000008
【図７】
2019058048.tif 000009
【図８】
2019058048.tif 000010
【図９】
2019058048.tif 000011
【図１０】
2019058048.tif 000012
【図１１】
2019058048.tif 000013
【図１２】
2019058048.tif 000014
【図１３】
2019058048.tif 000015
【図１４】
2019058048.tif 000016
【図１５】
2019058048.tif 000017